(57)【特許請求の範囲】
【請求項１】
放射性セシウム濃度が低減されたトマト苗の生産方法であって、ＮＩＴＥ  ＡＰ−０１９３３の受領番号を有するＶｅｒｏｎａｅｏｐｓｉｓ  ｓｉｍｐｌｅｘに属する菌株をトマト苗に接種することを特徴とする、前記トマト苗の生産方法。
【請求項２】
ＮＩＴＥ  ＡＰ−０１９３３の受領番号を有するＶｅｒｏｎａｅｏｐｓｉｓ  ｓｉｍｐｌｅｘに属する菌株を接種してなる、放射性セシウムの吸収を抑制するトマト苗。
【発明の詳細な説明】
【技術分野】
【０００１】
本発明は、放射性セシウムのトマト苗への吸収を抑制し得るエンドファイト（Ｄａｒｋ  ｓｅｐｔａｔｅ  ｅｎｄｏｐｈｙｔｉｃ  ｆｕｎｇｉ：ＤＳＥ）に、及び当該エンドファイトを使用した放射性セシウム濃度が低減されたトマト苗の生産方法に関する。
【背景技術】
【０００２】
農作物に対する土壌病原菌による病害を防止するため、又は農作物の生育を促進させるため、化学物質の使用の他、微生物を使用した病害防除手段又は生育促進手段が種々提案されている。
例えば特許文献１に記載の技術は、トマトのフザリウム病防除に有効なフザリウム・オキシスポラム（Ｆｕｓａｒｉｕｍ  ｏｘｙｓｐｏｒｕｍ）ＪＴＦ−１０８菌株の使用を提案している。
また、特許文献２に記載の技術は、トマトの養液栽培において安定して生育促進させるために、アゾスピリラム属菌の使用を提案している。
また、特許文献３に記載の技術は、トマト根腐萎ちょう病の発病を抑止するためにジュードモナス・プチダ（Ｐｓｅｕｄｏｍｏｎａｓ  ｐｕｔｉｄａ）ＡＰ−１菌株の使用を提案している。
さらにまた、特許文献４に記載の技術は、抗青枯病又は抗かいよう病活性を有する細菌エンドファイトを提案している。
【０００３】
ところが、東日本における巨大地震及び津波を原因とした原子力発電所の損壊、そしてそれによる放射性物質の飛散によって、一部の地域の土壌が汚染されるに至って以来、土壌がそのように汚染された地域においては、農作物の病害防除や生育促進よりも、農作地の土壌の除染が最優先の課題に代わっている。
そして、汚染された農作地においては、そこで栽培された野菜や果物などの農作物も土壌の水分や栄養成分とともに放射性物質を吸収してしまい、それら農作物を摂取した人体への悪影響も指摘されている。
【０００４】
本発明者等の調査の結果、土壌中の放射性物質は、その殆どが半減期の長い放射性セシウム１３４Ｃｓや１３７Ｃｓであって、さらにその大半が土壌の地表部分およそ５ｃｍ以内の部分に分布していることが既に分かっている。
しかしながら、広大な農作地の除染には、排水のための地下排水溝の施工や排水設備を整備するための膨大な手間やコスト高という問題が存在する。
【０００５】
このような状況下、放射性物質で汚染された土壌の除染手段として、多孔質粘土類、例えば、ゼオライト又は珪藻土を使用した技術が提案されている。
例えば、特許文献５は、汚染土壌、電解質及び水からなる溶液と、珪藻土、プルシアンブルー及びナノカーボンからなる捕集体とを接触させることにより、前記溶液中の放射性物質を前記捕集体に吸着することによって、もって土壌を除染する方法を提案している。
また、特許文献６は、汚染土壌と洗浄水とを混合してスラリーを得る工程、当該スラリーにゼオライトを共存させる工程、当該ゼオライトに放射性元素を吸着させ、そして除染された処理済み水とともに処理済み土壌を得る工程、及び、処理済みゼオライトと、除染された処理水及び土壌とを分離する工程を含む、汚染土壌の除染方法を提案している。
【先行技術文献】
【特許文献】
【０００６】
【特許文献１】特開平６−２５６１２６号公報
【特許文献２】特開平６−３１１８２６号公報
【特許文献３】特開平１０−１９１９６７号公報
【特許文献４】特開２００２−２２３７４７号公報
【特許文献５】特開２０１３−５７５７５号公報
【特許文献６】特開２０１３−７９８４６号公報
【発明の概要】
【発明が解決しようとする課題】
【０００７】
上記特許文献１ないし特許文献４に記載の技術は、農作物に対する土壌病原菌の防除を課題とするにとどまり、放射性セシウムの除染について問題提起しているわけではない。
また、特許文献５及び特許文献６に記載される、多孔質粘土類を利用する技術は、結局のところ、汚染された大量の土壌を、除染のために一旦回収し、除染を行うという作業が必要であること、及び、除染後に、放射性セシウムが吸着した大量の多孔質粘土類を回収し、それを廃棄物として保管する必要があるという課題が残る。
【０００８】
以上の観点から、本発明者等は、汚染された土壌それ自体を除染することが必ずしも効率的でも実用的でもなく、そのため発想の転換が必要であると考えた。そして、農作地全体の土壌を除染するための新たな技術を開発するよりもむしろ、放射性セシウムにより汚染された農作地であってもそこで栽培する農作物に放射性セシウムを吸収させない技術開発が、より必要ではないかと確信した。それと同時に、農作物の生育をより促進させることをも可能とすることができれば、農作物の生産効率の向上にも繋がる。
そこで本発明者等は、エンドファイトを使用した農作物の生長促進に関する研究をすすめる中で、エンドファイトの中にも農作物への放射性セシウムの吸収を抑制するものが存在するのではないかと考えるに至った。
仮にそのようなエンドファイトのスクリーニングに成功することができれば、従来技術のように膨大なコストや手間をかけて農作地の土壌を除染することなく、放射性セシウムの農作物への吸収を抑制し、それによって放射性セシウム濃度のより低い農作物を生産することが可能となる。
【０００９】
そこで本発明者等は、エンドファイトのうちＶｅｒｏｎａｅｏｐｓｉｓ  ｓｉｍｐｌｅｘ属の菌株をキャベツ苗の根部に接種し、これを塩化セシウムを含有する培地にて所定期間、栽培した。
しかしながら、セシウムのキャベツへの吸収は、抑制するどころか、過去の多くの報告にあるようにむしろ促進されてしまう傾向であった。
【課題を解決するための手段】
【００１０】
そこで本発明者等は、さらに種々研究をすすめた。その結果、Ｖｅｒｏｎａｅｏｐｓｉｓ  ｓｉｍｐｌｅｘ属の菌株のうち特定の菌株が、トマト苗へのセシウムの吸収を抑制し得、なお且つ苗の生育を促進せしめることを見出し、その菌株のスクリーニングに成功した。
従来、Ｖｅｒｏｎａｅｏｐｓｉｓ  ｓｉｍｐｌｅｘ属の菌株の中には、トマト又はハクサイに対して、高温ストレス耐性を付与し、又は酸性土壌での生育を可能とせしめる効果を付与するものが存在することが分かっていたが、トマト苗へのセシウムの吸収を抑制し得るものは知られていなかったため、驚くべきことであった。
【００１１】
即ち本発明は、放射性セシウム濃度が低減されたトマト苗の生産方法であって、ＮＩＴＥ  ＡＰ−０１９３３の受領番号を有するＶｅｒｏｎａｅｏｐｓｉｓ  ｓｉｍｐｌｅｘに属する菌株をトマト苗に接種することを特徴とする、前記トマト苗の生産方法に関する。
また本発明は、前記方法により生産されたトマト苗にも関する。
さらにまた、本発明は、トマト苗への放射性セシウムの吸収を抑制し得る資材であって、前記資材は、ＮＩＴＥ  ＡＰ−０１９３３の受領番号を有するＶｅｒｏｎａｅｏｐｓｉｓ  ｓｉｍｐｌｅｘに属する菌株を含有することを特徴とする資材にも関する。
【００１２】
なお、他に特に示されない限り、本願明細書において、単に「セシウム」又は「Ｃｓ」とは、安定同位体であるＣｓ１３３を指し、「放射性セシウム」とは、放射性同位体であるＣｓ１３４及び／又はＣｓ１３７を指すものとする。
【００１３】
近年、農作物に対する病害防除手段として、農薬を使用した化学的防除の他、微生物を利用した生物学的防除法も提案されており、微生物として特にエンドファイトを利用した生物学的防除法が本発明者等によって提案されている。
例えば、エンドファイトの一つであるＰｈｉａｌｏｃｅｐｈａｌａ  ｆｏｒｔｉｎｉｉが本発明者等によって分離・選抜され、アスパラガス苗に対する病原菌Ｆ．ｏｘｙｓｐｏｒｕｍの防除に効果を発揮するという知見が得られている（特開２０１３−４２６９５号公報）。
これに対して今般、本発明者等によって新たに分離・選抜されたエンドファイトの１つであるＶｅｒｏｎａｅｏｐｓｉｓ  ｓｉｍｐｌｅｘ  Ｙ３４菌株（受領番号  ＮＩＴＥ  ＡＰ−０１９３３  ２０１４年９月５日付  独立行政法人製品評価技術基盤機構  特許微生物寄託センターに受領）は、Ｖｅｒｏｎａｅｏｐｓｉｓ  ｓｉｍｐｌｅｘ菌株の中でも、トマト苗へのセシウムの吸収が効果的に抑制され得るものである。
その反面、このＶｅｒｏｎａｅｏｐｓｉｓ  ｓｉｍｐｌｅｘ  Ｙ３４菌株は、同様の条件下でもキャベツ及びハクサイへのセシウムの吸収を抑制する効果を殆ど有しないことが明らかとなった。この事実から、単に培地中のセシウムを菌体が吸着することによってセシウム濃度を低下させ、その結果としてトマトへのセシウムの吸収を低下させるという作用効果を奏するものではないと考えられる。
【００１４】
Ｖｅｒｏｎａｅｏｐｓｉｓ  ｓｉｍｐｌｅｘ菌株は、例えば、九州南部地域の森林土壌から単離することができる。かかる土壌よりＶｅｒｏｎａｅｏｐｓｉｓ  ｓｉｍｐｌｅｘ菌株を採取し、セシウムを含有する人工培地上で２ないし３週間インキュベートすることにより、コロニーを生育させる。そして、それぞれのコロニー上に、トマトの発芽種子を播種し、２週間インキュベートした後、トマト苗を生育させる。そしてその後、当該トマト苗の地上部に含まれるセシウム濃度を測定する。このとき、セシウム濃度が低いほど、土壌に含まれるセシウムのトマトへの吸収をより抑制し得るものということができる。こうして、セシウムの吸収をより効果的に抑制し得た菌株をスクリーニングしたことによって、Ｖｅｒｏｎａｅｏｐｓｉｓ  ｓｉｍｐｌｅｘ  Ｙ３４株が見出された。
【００１５】
トマト苗の生育を促進する効果は、苗のバイオマスを測定することによって、認識し得る。ここで、バイオマスは、一定条件下で育苗したトマト苗の地上部について灰化するに際して、その灰化前後の質量を秤量することによって、測定し得る。そして、対照区の苗の地上部のバイオマスと比較して、より大きな数値を示していれば、苗の生育を促進したものといえる。
【００１６】
また、本発明において使用される資材は、単独で使用することもできるが、適当な固体担体、特に穀物粒やおが屑などを用いて、粒剤、粉剤等の任意の形状で使用できる。また、この当該資材を有機肥料、土壌等と共に使用し、肥料、土壌改良資材、育苗用培土等とすることができる。
このとき、単独の資材又は他の原料と混合され得られた製品中には、本発明に係るＮＩＴＥ  ＡＰ−０１９３３株が、セシウムのトマトへの吸収を有意に抑制し得るに足りる菌数があればよい。例えば、土壌中に５質量％の資材混和でトマト根部に十分に定着できる。
トマト苗の育苗については、例えば、Ｖｅｒｏｎａｅｏｐｓｉｓ  ｓｉｍｐｌｅｘ  Ｙ３４株を含有する資材を混合した培土上でトマト種子を播種し、発芽させ、その後さらに一定期間生育させて、当該菌株をトマト苗の根部に定着させた頃合を見計らって、放射性セシウムで汚染された土壌に移し、さらに生育させる。
又は、放射性セシウムで汚染された土壌に対して、当該菌株を含有する資材を混合した培土を一定量撒き、その培土上で播種、発芽、その後の育苗を行うこともできる。
【発明の効果】
【００１７】
本発明においては、トマト苗の根部にＶｅｒｏｎａｅｏｐｓｉｓ  ｓｉｍｐｌｅｘ  Ｙ３４菌株を接種することによって、培地中のセシウムのトマト苗への吸収を、当該菌株を接種しない場合と比較して、およそ１／２以下に抑制することができる。そのため、放射性セシウムに対しても同様にその吸収を抑制できる効果が期待される。従って、従来技術のように膨大な汚染土壌を回収し、吸着剤などの除染技術を用いて除染するといった手間やコストをかけることもなく、放射性セシウムによる汚染が低く抑えられたトマトを収穫することが出来る。さらにまた、そのような放射性セシウムを含有する土壌においても、当該菌株を接種しない場合と比較して、トマト苗の生育をより促進させ得るという重複的な効果をも奏する。
【図面の簡単な説明】
【００１８】
【図１】図１は、セシウム濃度５ｐｐｍ及び１０ｐｐｍの各々の培地において、実施例のトマト苗と比較例のトマト苗を育苗した後の、これらトマト苗の地上部の乾燥物中のセシウム濃度をそれぞれ示した図である。
【図２】図２は、セシウム濃度５ｐｐｍ及び１０ｐｐｍの各々の培地において、実施例のトマト苗と比較例のトマト苗を育苗したときの、これらトマト苗の地上部のバイオマスをそれぞれ示した図である。
【図３】図３は、セシウム濃度５ｐｐｍ及び１０ｐｐｍの各々の培地において、参考例１のハクサイ苗と参考例２のハクサイ苗を育苗した後の、これらハクサイ苗の地上部の乾燥物中のセシウム濃度をそれぞれ示した図である。
【図４】図４は、セシウム濃度５ｐｐｍ及び１０ｐｐｍの各々の培地において、参考例１のハクサイ苗と参考例２のハクサイ苗を育苗したときの、これらハクサイ苗の地上部のバイオマスをそれぞれ示した図である。
【発明を実施するための形態】
【００１９】
ここで、放射性同位体と安定同位体とは、物理化学的性質や環境中における挙動に差がないことが知られている（例えば、「ＸＡＮＥＳを用いた水田土壌中のヨウ素の非破壊形態分析とその溶脱機構」，山口紀子，農環研ニュース，２００６年１０月，Ｎｏ．７２，第９頁参照）。つまり、安定同位体セシウムＣｓ１３３と放射性同位体セシウムＣｓ１３４及びＣｓ１３７とは、トマト苗への吸収挙動が実質的に同一であると考えてよいと認められる。従って、以下の試験例及び実施例においては、放射性セシウムＣｓ１３４及びＣｓ１３７に替えてセシウムＣｓ１３３が使用された。
【００２０】
試験例：試料中のセシウムの濃度の測定及びバイオマスの測定
蓋付磁製るつぼに試料を入れて絶乾（１０５℃にて１０時間）した後、３５０℃にて２時間、及び５５０℃にて５時間の加熱を行い、試料を灰化した。なお、昇温速度は１００℃／２時間とした。灰化前後の試料の質量を超精密天秤により秤量し、灰分量を求めた。この灰分量をバイオマスとした。その後、灰化した試料を処理区ごと（１処理区当り７試料）に、サンプルチューブ内で混合し、エネルギー分散型蛍光Ｘ線元素分析装置による元素測定に供試した。
分析は、測定試料を微量粉体容器に入れ、マイラーフィルム（厚さ６μｍ）を通して行った。測定は、３０ｐａ以下の真空条件下、印加電圧５０ｋＶ及び１５ｋＶ（いずれも積算時間４００秒）で行い、セシウムを含む構成元素の半定量値を得た。本分析においては、装置付属プログラムのファンダメンタル・パラメーター（ＦＰ）法により、各元素のピーク強度（ｋＶ×ｃｐｓ／μＡ）に対して予め設定された感度係数を掛け合わせることによって定量値を求めることができる。
【００２１】
実施例：Ｖｅｒｏｎａｅｏｐｓｉｓ  ｓｉｍｐｌｅｘ  Ｙ３４菌株を接種したトマト苗へのセシウム吸収及びトマト苗の生育促進
広口試験管（直径約３ｃｍ、高さ約１２ｃｍ）に、ろ紙（ＡＤＶＡＮＴＥＣ  Ｎｏ．１）を弧を描くように入れた。続いてオートクレーブ滅菌し、セシウム濃度として５ｐｐｍ及び１０ｐｐｍとなるように塩化セシウム（１３３ＣｓＣｌ）でそれぞれ調整したＯＭ液体培地（ＭｇＳＯ４・７Ｈ２Ｏ  １．０ｇ、ＫＨ２ＰＯ４  １．５ｇ、Ｏａｔｏｍｅａｌ  １０ｇ、ＮＡ  ５．５ｍＬ／Ｌ）を２０ｍＬずつ分注し、ろ紙上でＶｅｒｏｎａｅｏｐｓｉｓ  ｓｉｍｐｌｅｘ  Ｙ３４菌株を１週間培養した。その後、表面殺菌し素寒天培地上で発根させておいたトマト苗（ハウス桃太郎；タキイ種苗株式会社）を１苗ずつ静置し、２３℃にて１６時間明期、６０μｍｏｌ／ｍ２／ｓの育苗棚で育苗した。２１日後に、育苗したトマト苗を回収し、これを実施例とした。
【００２２】
比較例：Ｖｅｒｏｎａｅｏｐｓｉｓ  ｓｉｍｐｌｅｘ  Ｙ３４菌株を接種しなかったトマト苗へのセシウム吸収及びトマト苗の生育促進
Ｖｅｒｏｎａｅｏｐｓｉｓ  ｓｉｍｐｌｅｘ  Ｙ３４菌株を用いなかった他は上記実施例と同様に育苗したトマト苗を比較例とした。
【００２３】
上記実施例及び比較例のトマト苗の地上部分のセシウム濃度及びバイオマスをそれぞれ測定した。結果を図１及び図２にそれぞれ示す。
なお、図１の縦軸はトマト苗の地上部の乾燥物中のセシウム濃度（ｐｐｍ）を表し、横軸の「Ｃｔｒｌ」は比較例を表し、そして「Ｙ３４」は実施例を表す。また、図２の縦軸はトマト苗の地上部のバイオマスを表し、横軸の「Ｃｔｒｌ」は比較例を表し、そして「Ｙ３４」は実施例を表す。
【００２４】
図１の結果は、Ｃｓ［５ｐｐｍ］においては、実施例のトマト苗は、比較例のトマト苗と比較して、およそ７３％のＣｓの減少があったことを示しており、またＣｓ［１０ｐｐｍ］においては、実施例のトマト苗は、比較例のトマト苗と比較して、およそ７５％の減少があったことを示した。
他方、図２の結果は、Ｃｓ［５ｐｐｍ］においては、比較例と比較しておよそ１２２％の生育促進効果があったことを示しており、またＣｓ［１０ｐｐｍ］においては、実施例のトマト苗は、比較例のトマト苗と比較して、およそ７０％の生育促進効果があったことを示した。
【００２５】
参考例１：Ｖｅｒｏｎａｅｏｐｓｉｓ  ｓｉｍｐｌｅｘ  Ｙ３４菌株を接種したハクサイ苗へのセシウム吸収及びハクサイ苗の生育促進
トマト苗をハクサイ苗（無双；タキイ種苗株式会社）に変えた他は、上記実施例と同様の方法により試験を行った。
【００２６】
参考例２：Ｖｅｒｏｎａｅｏｐｓｉｓ  ｓｉｍｐｌｅｘ  Ｙ３４菌株を接種しなかったハクサイ苗へのセシウム吸収及びハクサイ苗の生育促進
トマト苗をハクサイ苗（無双；タキイ種苗株式会社）に変えた他は、上記比較例と同様の方法により試験を行った。
【００２７】
上記参考例１及び２のハクサイ苗の地上部分のセシウム濃度及びバイオマスをそれぞれ測定した。結果を図３及び図４にそれぞれ示す。
なお、図３の縦軸はハクサイ苗の地上部の乾燥物中のセシウム濃度（ｐｐｍ）を表し、横軸の「Ｃｔｒｌ」は参考例２を表し、そして「Ｙ３４」は参考例１を表す。また、図４の縦軸はハクサイ苗の地上部のバイオマスを表し、横軸の「Ｃｔｒｌ」は参考例２を表し、そして「Ｙ３４」は参考例１を表す。
【００２８】
図３の結果は、Ｃｓ［５ｐｐｍ］及びＣｓ［１０ｐｐｍ］の双方において、参考例１のハクサイ苗は、参考例２のハクサイ苗と比較して、１００％以上もＣｓが増加してしまったことを示した。
他方、図４の結果は、Ｃｓ［５ｐｐｍ］においては、参考例１のハクサイ苗は、参考例２のそれと比較して８２％の生育促進効果があったことを示したが、その反面、Ｃｓ［１０ｐｐｍ］においては、参考例１のハクサイ苗と参考例２のそれとの間で有意な差は見られなかった。
【００２９】
図１及び図３の結果から、Ｖｅｒｏｎａｅｏｐｓｉｓ  ｓｉｍｐｌｅｘ  Ｙ３４菌株は、トマト苗に対してセシウムの吸収を抑制する効果を付与する一方で、同一条件下であってもハクサイ苗に対してはそのような効果を付与しなかった。また、図２及び図４の結果から、当該菌株は、トマト苗だけでなくハクサイ苗に対しても一応の生育促進効果を付与したことが明らかである。
このため、Ｖｅｒｏｎａｅｏｐｓｉｓ  ｓｉｍｐｌｅｘ  Ｙ３４菌株が単に培地中のセシウムを吸着することによって培地中のセシウム濃度を低下させ、それによりトマト苗のセシウム濃度の低下をもたらしたという可能性は低く、当該菌株がトマト苗へのセシウムの吸収を何らかの作用機構によって抑制したという可能性のほうが高いと考えられる。
以上の結果より、本発明に係るＶｅｒｏｎａｅｏｐｓｉｓ  ｓｉｍｐｌｅｘ  Ｙ３４菌株を含有する培地でトマト苗を生育させることによって、放射性セシウムで汚染された土壌においても、放射性セシウムのトマト苗への吸収を抑制するという効果が期待される。このため、そのような放射性セシウムで汚染された土壌においても、トマトを栽培することができることが期待される。
【受託番号】
【００３０】
受領番号  ＮＩＴＥ  ＡＰ−０１９３３
２０１４年９月５日付けで、独立行政法人製品評価技術基盤機構  特許微生物寄託センターに受領されている。
【図１】
0006315195.tif 000002
【図２】
0006315195.tif 000003
【図３】
0006315195.tif 000004
【図４】
0006315195.tif 000005